(57)【要約】【課題】携帯型移動無線電話装置の呼び出し音の不足を補う。【解決手段】携帯型移動無線電話装置は、電話の呼び出しを受信したときに予め設定された音量で着信音を出力するスピーカと、通話の音声をユーザに出力するレシーバと、通話の音声をユーザから入力するマイクと、呼び出しを受信中にオフフックが行われない状態でユーザの入力操作に基づいて設定された所定の時間が経過したときレシーバによって追加着信音を出力する着信音追加制御を行う着信音制御部とを備える。【選択図】図２
2011182182.tif 000002
【特許請求の範囲】
【請求項１】
電話の呼び出しを受信したときに予め設定された音量で着信音を出力するスピーカと、
通話の音声をユーザに出力するレシーバと、
通話の音声をユーザから入力するマイクと、
前記呼び出しを受信中にオフフックが行われない状態でユーザの入力操作に基づいて設定された所定の時間が経過したとき前記レシーバによって追加着信音を出力する着信音追加制御を行う着信音制御部
とを具備する携帯型移動無線電話装置。
【請求項２】
請求項１に記載された携帯型移動無線電話装置であって、
更に、前記レシーバのゲインを示す第１ゲインと、前記第１ゲインよりも大きい値に設定された第２ゲインとを記憶するゲイン設定部を具備し、
前記ゲイン設定部は、前記レシーバを用いて通話が行われるとき前記レシーバのゲインを前記第１ゲインに設定し、前記レシーバが前記追加着信音を出力するとき前記レシーバのゲインを前記第２ゲインに設定し、且つ前記レシーバが前記追加着信音を出力しているときにオフフックが行われたとき、前記レシーバのゲインを前記第１ゲインに変更する
携帯型移動無線電話装置。
【請求項３】
請求項１又は２に記載された携帯型移動無線電話装置であって、
前記着信音制御部は、前記レシーバが前記追加着信音を出力している状態で前記呼び出しの受信が停止した場合に、予め記憶した一定の期間内に再び電話の呼び出しを受信した場合は直ちに前記追加着信音を出力し、前記一定の期間経過後に再び電話の呼び出しがあった場合は前記着信音追加制御を行う
携帯型移動無線電話装置。
【請求項４】
請求項２又は３に記載された携帯型移動無線電話装置であって、
更に、ユーザの操作に応じて前記スピーカを用いた通話を行うように制御するスピーカ通話部と、
前記スピーカを用いた通話中に所定の入力操作が行われたとき、前記スピーカの音量を上げ、且つ前記レシーバのゲインを前記第２ゲインに設定して前記スピーカと並行して通話に用いるように制御する騒音時通話制御部
を具備する携帯型移動無線電話装置。
【請求項５】
電話の呼び出しを受信したときに着信音を出力するスピーカと、
通話の音声をユーザに出力するレシーバと、
通話の音声をユーザから入力するマイクと、
ユーザの操作に応じて前記スピーカを用いた通話を行うように制御するスピーカ通話部と、
前記スピーカを用いた通話中に所定の入力操作が行われたとき、前記スピーカの音量を最大音量に設定し、且つ前記レシーバを前記スピーカと並行して通話に用いるように制御する騒音時通話制御部
とを具備する携帯型移動無線電話装置。
【発明の詳細な説明】
【技術分野】
【０００１】
本発明は、携帯型移動無線電話装置の音声出力の制御に関する。
【背景技術】
【０００２】
携帯型移動無線電話装置（以下携帯電話と記載）が広く普及している。携帯電話は、呼び出しを受信すると呼び出し音声を発信する。ユーザは呼び出し音声を聴いてフックオフ動作を行い、通話を開始する。
【０００３】
また通常の通話用のレシーバよりも離れた距離で音声を聴くことに適したスピーカを用いて通話を行うスピーカホン機能を有する携帯電話が知られている。このような機能を用いればハンズフリーで通話を行うことが可能となる。こうした機能により、３人以上で通話することが可能であり、特に突然の電話会議等では多く使用されている。
【０００４】
以下に、携帯端末装置の音声の制御に関する参考技術を挙げる。
【先行技術文献】
【特許文献】
【０００５】
【特許文献１】特開２００４−０３２６８６号公報
【特許文献２】特開２００６−０４２０７７号公報
【特許文献３】特開２００７−００６３８７号公報
【特許文献４】特開２００９−１５９０６３号公報
【発明の概要】
【発明が解決しようとする課題】
【０００６】
ところで、状況によってはユーザが呼び出し音声に気付かない場合がある。例えば真夏はユーザが軽装でいるために、携帯電話をしまうポケットが無い場合が多く、鞄にしまってしまうユーザが多い。このような場合、ユーザは着信音に気付きにくい。また真冬にユーザが上着のポケット等に携帯電話をしまっている場合には、服装が厚手であるため、やはり着信音に気付かない場合が多い。解決策の一つとしてバイブレータを振動させる手段があるが、鞄や厚手の上着のポケットの場合、やはりそれにすら気付かない場合が多い。
【０００７】
一方、スピーカホンを用いた通話では、工事現場等の屋外での使用シーンにおいては騒音下で使用が必要な場面も多い。このような場面ではスピーカホンを用いても音声を聴き取りにくい場合がある。
【０００８】
これらの問題の背景には、携帯電話は携帯性に優れていることが求められているために、大音量のアンプやスピーカを搭載することが困難であるという事情がある。
【課題を解決するための手段】
【０００９】
上記の問題に関連して、本発明の一側面において、携帯型移動無線電話装置は、電話の呼び出しを受信したときに予め設定された音量で着信音を出力するスピーカと、通話の音声をユーザに出力するレシーバと、通話の音声をユーザから入力するマイクと、呼び出しを受信中にオフフックが行われない状態でユーザの入力操作に基づいて設定された所定の時間が経過したときレシーバによって追加着信音を出力する着信音追加制御を行う着信音制御部とを備える。
【発明の効果】
【００１０】
本発明により、携帯電話の呼び出し音の不足を補うことを可能とする技術が提供される。
【図面の簡単な説明】
【００１１】
【図１Ａ】図１Ａは、携帯電話の表側を示す。
【図１Ｂ】図１Ｂは、携帯電話の裏側を示す。
【図２】図２は、携帯電話の部分構成を示すブロック図である。
【図３】図３は、着信音追加制御を示すフローチャートである。
【図４】図４は、騒音時のスピーカホンの制御を示すフローチャートである。
【図５】図５は、携帯電話の機能ブロックを示す。
【発明を実施するための形態】
【００１２】
図１Ａと図１Ｂは、本発明の一実施形態における携帯電話のイメージ図である。図１Ａは表側、すなわち通常の通話時にユーザの顔に向けられる側を示す。図１Ｂは裏側を示す。
【００１３】
携帯電話１０は表側に通常の通話用のレシーバ２とマイク５とを備える。携帯電話１０は更に、着信音を出力するスピーカ１を備える。図１Ｂの例ではスピーカ１は裏側に配置されているが、表側に配置される場合もある。
【００１４】
図２は、本実施形態における携帯電話の部分構成を示すブロック図である。携帯電話１０は、スピーカ１に入力する音声信号を増幅することによりスピーカ１が出力する音声の音量を制御するためのスピーカアンプ３を備える。携帯電話１０は更に、レシーバ２に入力する音声信号を増幅することによりレシーバ２が出力する音声の音量を制御するレシーバアンプ４を備える。ＬＳＩ５はスピーカアンプ３、レシーバアンプ４及びマイク５を制御する。
【００１５】
ＬＳＩ６は、携帯電話１０の入力装置に対するユーザの入力操作に応答して、スピーカアンプ３のゲインを設定する。ユーザは入力操作によってスピーカ１のゲインを数段階のうち所望の値に設定することができる。
【００１６】
レシーバアンプ４のゲインの設定には２種類のモードがある。第１モードにおいて、レシーバアンプ４は第１ゲインに設定される。ユーザは入力操作によって第１ゲインを数段階のうち所望の値に設定することができる。第２モードにおいて、レシーバアンプ４は第１ゲインよりも大きい第２ゲインに設定される。第２ゲインは、好ましくはレシーバアンプ４の最大ゲインである。
【００１７】
ＬＳＩ６は、呼び出しの着信時、あらかじめ設定した一定時間を鳴動させてもユーザが着信音に気付かない場合に、スピーカアンプ３のゲイン設定を最大音量に切り替え、更にレシーバアンプ４を第２モード（最大ゲイン）にて駆動することによりレシーバ２も同時に着信音を鳴動させる。この動作により、着信音の音量がより大きくなり、携帯電話を鞄や厚手の上着のポケット等にしまって、周囲の騒音が大きい場所で持ち歩いている場合でもユーザが着信音に気付くことが可能となる。
【００１８】
次に、図３のフロー図を参照して携帯電話１０の動作についてより詳細に説明する。図５は、ＬＳＩ６が記憶装置に格納されたプログラムを実行することによって実現される携帯電話１０の機能ブロックを示す。
【００１９】
ユーザは、あらかじめスピーカ１とレシーバ２の音量を設定する。ゲイン設定部１２は、ユーザが入力した値に基づいて、スピーカアンプ３のゲインと、レシーバアンプ４の第１モード及び第２モードのゲインを記憶する。操作の分かり易さの観点からは、レシーバアンプ４の第２モードのゲインはユーザの入力操作が無くてもあらかじめ最大に設定されていることが望ましい。
【００２０】
携帯電話に呼び出しの着信があった場合（Ｓ１）、ＬＳＩ６はスピーカアンプ３をユーザがあらかじめ設定したゲインにて駆動し、スピーカ１を鳴動させる（Ｓ２）。この時点でユーザが着信に気付いてオフフック操作が有った場合（Ｓ３Ｙｅｓ）は、スピーカアンプ３をＯＦＦとする（Ｓ４）。この場合、ゲイン設定部１２はレシーバアンプ４を第１モードのゲイン設定とする。ＬＳＩはレシーバアンプ４を第１モードで駆動し（Ｓ５）、且つマイク５を駆動し通話状態に入る（Ｓ６）。
【００２１】
スピーカ１が着信音を出力してもユーザが気付かない場合、オフフック操作が行われない（Ｓ３Ｎｏ）。呼び出しを受信中に、オフフック操作が行われない状態でユーザが入力装置に対する操作によってあらかじめ設定した所定の時間が経過した場合（Ｓ７）、着信音制御部１１は音量を増加する着信音追加制御を行う。
【００２２】
着信音追加制御の際、ゲイン設定部１２はスピーカアンプ３のゲインを最大に切り替える。スピーカ１は最大音量で着信音を出力する。ゲイン設定部１２は更に、レシーバアンプ４を第２モードの最大ゲインで駆動する。レシーバ２は最大音量でスピーカ１と同時に着信音を出力する（Ｓ８）。このような制御により、スピーカアンプ３のあらかじめ設定されたゲインと最大ゲインとの差分と、レシーバアンプ４のゲインとによって、通常の着信音に対する追加音量の着信音が出力される。
【００２３】
ユーザが携帯電話１０をオフフックしない間（Ｓ９Ｎｏ）、ステップＳ８の処理が続けられる。ユーザが着信に気付いて携帯電話１０をオフフックした場合（Ｓ９Ｙｅｓ）、通常の着信音と追加着信音の出力が停止される。ゲイン設定部１２はスピーカアンプ３のゲインを設定された通常時のゲインに戻し、レシーバアンプ４のゲインを第１モードのゲインに戻す。ユーザは第１モードの音量で通話を行い（Ｓ１０）、通話が終了するとオンフックする（Ｓ１１）。
【００２４】
以上の動作により、携帯電話を鞄や厚手の上着のポケット等にしまって、周囲の騒音が大きい場所等で持ち歩いている時に着信が有った場合でもユーザが気付くことが容易になる。
【００２５】
ステップＳ８において呼び出しの受信が停止したとき、ゲイン設定部１２はスピーカアンプ３のゲインを最大ゲインから予め設定されたゲインに戻し、レシーバアンプ４を第１ゲインに戻す。このようなリセット動作によって、次回の呼び出しの受信があった場合に、ユーザが特に操作を行わなくても、ユーザが設定した通常の音量で着信音を出力することが可能である。
【００２６】
着信音制御部１１は、次のようにして呼び出し停止後の過渡的制御を行うことも好ましい。ステップＳ８における着信音追加制御が行われている状態で呼び出しの受信が停止した場合について考える。この場合、着信音制御部１１は、予め記憶した一定の期間内に再び電話の呼び出しを受信した場合、ステップＳ７を省略して、直ちにステップＳ８における追加着信音を出力する。次の電話の呼び出しの受信がその一定の期間を経過した後であった場合は、ステップＳ７〜Ｓ８と同様に、所定の時間通常の着信音を出力した後で着信音追加制御を行う。
【００２７】
ユーザがオフフックを行わないとき、呼び出し元が一旦、呼び出しを中止してから、短期間のうちに再び呼び出しを試みる場合がある。こうした場合、ユーザは相変わらず着信音が聴き取りにくい状況にある可能性が高い。上記の過渡的制御によれば、このような場合、再呼び出しの着信音は最初から大きな音量で出力されるため、ユーザが着信に気付き易い。更に、一定の時間経過後は通常の着信音に戻されるために、ユーザが静かな場所に移動するなど状況が変化した場合に、いきなり最大音量で着信音が鳴って驚くという事態が防がれる。
【００２８】
次に、スピーカホン機能によって通話する場合の動作について説明する。本実施形態における携帯電話１０では、スピーカホンにて通話する場合において、周囲の騒音によりスピーカ１からの音声の音量を最大としていても聞き取りづらい場合、ユーザ操作により、レシーバ２からも同時に音声を出力することにより、より大きい音量を出力することが可能となる。
【００２９】
図４は、スピーカホン機能を使う場合の携帯電話１０の動作を示す。この動作は、図３のステップＳ６に引き続くものとする。ユーザが通話状態において携帯電話１０の入力装置に対する所定の入力操作を行うと（Ｓ１２）、スピーカホン通話部１３はレシーバ２による音声出力を停止し、予め設定されたゲインにてスピーカ１による通話音声の出力を開始する（Ｓ１３）。ユーザはスピーカホンによる通話を行う。
【００３０】
ユーザは、騒音下にいて音声が聴き取りづらい場合、音量をより大きくするための所定の入力操作を行う（Ｓ１４）。騒音時通話制御部１４は、スピーカアンプ３の音量を予め設定された音量から最大音量に切り換える。騒音時通話制御部１４は更に、レシーバアンプ４を第２モードの最大ゲインにて駆動して、レシーバ２からも通話の音声を出力する（Ｓ１５）。
【００３１】
以上により周囲の騒音が大きい場所等でスピーカホンにて通話する場合でも、ユーザが音声を聞こえ易くすることが可能となる。
【符号の説明】
【００３２】
１  スピーカ
２  レシーバ
３  スピーカアンプ
４  レシーバアンプ
５  マイク
６  ＬＳＩ
１０  携帯電話機
【図１Ａ】
2011182182.tif 000003
【図１Ｂ】
2011182182.tif 000004
【図２】
2011182182.tif 000005
【図３】
2011182182.tif 000006
【図４】
2011182182.tif 000007
【図５】
2011182182.tif 000008